(57)【要約】【課題】平滑基材の一方の面にフレームが配置されてなる筐体にインレットが収容されて平滑基材に接着された構成において、インレットを平滑基材に接着するための接着手段の厚さをインレットの全面にて均一にしながらも平滑基材とインレットとを確実に接着する。【解決手段】内側の形状がインレット３０と略同一のフレーム２０に囲まれた領域にインレット３０が収容され、フィルム１０上に塗布された溶融状態の硬化剤４０によってインレット３０がフィルム１０に接着された構成において、フレーム２０の内側の面に、インレット３０に当接しない凹部２１を有する。【選択図】図１
2015175867.tif 000002
【特許請求の範囲】
【請求項１】
平滑基材の一方の面にフレームが配置されてなる筐体と、該筐体の前記フレームに囲まれた領域に収容されたインレットとを有し、前記フレームの内側の形状が前記インレットの外形と略同一であり、前記インレットが、前記平滑基材の前記フレームに囲まれた領域に溶融状態の接着手段が塗布された状態で当該領域に収容されて前記平滑基材に対して加圧されることによって該平滑基材に接着される情報媒体において、
前記フレームの内側の面に、前記インレットに当接しない凹部を有することを特徴とする情報媒体。
【発明の詳細な説明】
【技術分野】
【０００１】
本発明は、平滑基材の一方の面にフレームが配置されてなる筐体にインレットが収容された情報媒体に関し、特に、インレットを平滑基材に接着する技術に関する。
【背景技術】
【０００２】
従来より、情報を表示する表示媒体として、ＣＲＴディスプレイや液晶ディスプレイ、プラズマディスプレイ等が用いられており、これらは、テレビ受像機に用いられることによりテレビ局から送信されたテレビ映像を表示したり、パソコンのディスプレイとして用いられることにより、パソコンに保存された情報やインターネットを介して配信された情報を表示したりすることができる。さらに、上述したような表示媒体に加えて、デジタル情報を紙のように薄い情報表示層に表示する薄型の表示媒体が普及しはじめている。このような薄型の表示媒体は、紙のように薄いために携帯がしやすいとともに、消費電力が少なく、また視野角が広く、さらには、電極に印加する電圧によって表示される情報を書き換えることができるとともに、電源を切断した場合でも表示内容を保持できることから、今後のさらなる普及が予想される。
【０００３】
図８は、情報媒体の一例を示す図であり、（ａ）は情報表示面側から見た図、（ｂ）は（ａ）に示したＡ−Ａ’断面図である。
【０００４】
本例は図８に示すように、透明な材料からなるフィルム６１０の一方の面にフレーム６２０が配置され、このフレーム６２０内に、上述したような薄型の表示媒体を構成するインレット６３０が収容され、硬化剤６４０によってインレット６３０がフィルム６１０に接着されて構成されている。
【０００５】
上記のように構成された情報媒体６０１においては、フレーム６２０の内側の形状がインレット６３０の外形と略同一となっており、インレット６３０が、その情報表示面がフィルム６１０に対向するようにフレーム６２０内に嵌め込まれ、硬化剤６４０によってフィルム６１０に接着されている。そして、インレット６３０にて表示された情報が、フィルム６１０及び硬化剤６４０を介して視認されることとなる。
【０００６】
このように、薄型の表示媒体を構成するインレットを、フレームを具備する筐体に収容してタグ化することにより、表示媒体の耐環境性を向上させることができる。このようなタグ化は、表示媒体に限らず考えられている（例えば、特許文献１，２参照）。
【先行技術文献】
【特許文献】
【０００７】
【特許文献１】特開２００９−５９０７２号公報
【特許文献２】特開２００６−３１５９９号公報
【発明の概要】
【発明が解決しようとする課題】
【０００８】
図９は、図８に示した情報媒体６０１の製造方法を説明するための図である。
【０００９】
図８に示した情報媒体６０１を製造する場合は、フィルム６１０及びフレーム６２０として、まず、図８に示したものよりもその外形が大きなものを用い、インレット６３０をフィルム６１０に接着した後に、図８に示した形状に断裁することになる。
【００１０】
まず、フィルム６１０の一方の面上にフレーム６２０を配置するとともに、フレーム６２０に囲まれた領域に、溶融状態の硬化剤６３０を塗布する（図９（ａ））。
【００１１】
次に、インレット６３０を、その情報表示面がフィルム６１０に対向するようにフレーム６２０内に嵌め込み、フィルム６１０に対して加圧していく（図９（ｂ））。フレーム６２０は、フィルム６１０上におけるインレット６３０の位置合わせを厳密に行うために、その内側の形状がインレット６３０の外形と略同一となっている。
【００１２】
すると、硬化剤６４０が溶融状態であることから、硬化剤６４０がインレット６３０に押圧されることによりフィルム６１０とインレット６３０との間にて延展し、インレット６３０がフレーム６２０に囲まれた領域に入り込んでいく。このように、溶融状態の硬化剤６４０が塗布されたフィルム６１０に対してインレット６３０を加圧していくことによってフィルム６１０とインレット６３０とを接着する方法は、インレット６３０とフィルム６１０との間に気泡等を生じさせず、それにより、フィルム６１０を介しての情報の視認性低下を回避するために有効なものである。
【００１３】
インレット６３０がフレーム６２０に囲まれた領域に入り込んでいくと、溶融状態の硬化剤６４０はインレット６３０の中央部分から周囲へと延展していき、インレット６３０がその全面にて硬化剤６４０によってフィルム６１０と接着されるとともに、フィルム６１０とフレーム６２０との間に硬化剤６４０が入り込んでフィルム６１０とフレーム６２０とが硬化剤６２０によって接着されることになる。
【００１４】
この際、インレット６３０をその全面にてフィルム６１０と確実に接着するためには、インレット６３０とフィルム６１０とフレーム６２０とで囲まれた領域の容積が、フィルム６１０上に塗布された硬化剤６４０の体積と同等またはそれ以下となるようにインレット６３０を加圧する必要がある。
【００１５】
しかしながら、そのようにインレット６３０を加圧すると、フレーム６２０の内側の形状がインレット６３０の外形と略同一となっていることから、インレット６３０の中央部分から周囲へと延展して余剰した硬化剤６４０の逃げ場がなく、インレット６３０の周囲にて硬化剤６４０が盛り上がった状態となってしまう（図９（ｃ））。
【００１６】
その後、フィルム６１０及びフレーム６２０を、情報媒体６０１の外形に合わせて図中Ａ点にて断裁し、硬化剤６４０が硬化することにより図８に示した情報媒体６０１が完成することになるが、上述したように、インレット６３０の周囲にて硬化剤６４０が盛り上がった状態となっていることから、硬化剤６４０の厚みが均一ではないものとなってしまう（図９（ｄ））。硬化剤６４０の厚みが均一でないと、特に本例のようにインレット６３０が表示機能を有するものである場合、硬化剤６４０の光の屈折率の違いによって表示色が変色して見えてしまう等の問題が生じてしまう。
【００１７】
本発明は、上述したような従来の技術が有する問題点に鑑みてなされたものであって、平滑基材の一方の面にフレームが配置されてなる筐体にインレットが収容されて平滑基材に接着された構成において、インレットを平滑基材に接着するための接着手段の厚さをインレットの全面にて均一にしながらも平滑基材とインレットとを確実に接着することができる情報媒体を提供することを目的とする。
【課題を解決するための手段】
【００１８】
上記目的を達成するために本発明は、
平滑基材の一方の面にフレームが配置されてなる筐体と、該筐体の前記フレームに囲まれた領域に収容されたインレットとを有し、前記フレームの内側の形状が前記インレットの外形と略同一であり、前記インレットが、前記平滑基材の前記フレームに囲まれた領域に溶融状態の接着手段が塗布された状態で当該領域に収容されて前記平滑基材に対して加圧されることによって該平滑基材に接着される情報媒体において、
前記フレームの内側の面に、前記インレットに当接しない凹部を有することを特徴とする。
【００１９】
上記のように構成された本発明においては、平滑基材のフレームに囲まれた領域に溶融状態の接着手段が塗布された状態で、インレットがその領域に収容されて平滑基材に対して加圧されていくと、溶融状態の接着手段が、インレットの中央部分から周囲へと延展していく。インレットを平滑基材にその全面にて確実に接着するためには、インレットと平滑基材とフレームとで囲まれた領域の容積が、平滑基材上に塗布された接着手段の体積と同等またはそれ以下となるようにインレットを加圧する必要がある。そのため、インレットの中心部分から周囲へと延展した接着手段はフレームの内側近傍にて余剰した状態となるが、余剰した接着手段は、フレームの内側の面に設けられた凹部に入り込むことになり、それにより、インレットの周囲にて接着手段が盛り上がることがなく、接着手段の厚さがインレットの全面にて均一となった状態で、平滑基材とインレットとが確実に接着される。
【発明の効果】
【００２０】
本発明においては、フレームの内側の面に、インレットに当接しない凹部を有する構成としたため、平滑基材のフレームに囲まれた領域に溶融状態の接着手段が塗布された状態で、インレットがその領域に収容されて平滑基材に対して加圧された際に、インレットの中央部分から周囲へと延展していきフレームの内側近傍にて余剰した接着手段が、フレームの内側の面に設けられた凹部に入り込むことになり、それにより、インレットの周囲にて接着手段が盛り上がることがなく、接着手段の厚さをインレットの全面にて均一にしながらも平滑基材とインレットとを確実に接着することができる。また、そのような構成においても、フレームは、凹部以外の領域においては、その内側の形状がインレットの外形と略同一であるため、インレットの位置合わせが容易となる。また、接着手段の厚さをインレットの全面にて均一にするための構成を、フレームの内側の面に設けた凹部によるものとすることにより、インレットが情報を表示するものである場合、情報を表示可能な面積を狭くすることや表示領域の意匠性を損なわせることがない。
【図面の簡単な説明】
【００２１】
【図１】本発明の情報媒体の実施の一形態を示す図であり、（ａ）は情報表示面側から見た図、（ｂ）は（ａ）に示したＡ−Ａ’断面図、（ｃ）はフレームの構成を示す図、（ｄ）はインレットの外形を示す図である。
【図２】図１に示した情報媒体の製造方法を説明するための図である。
【図３】本発明の情報媒体の他の実施の形態を示す図であり、（ａ）は情報表示面側から見た図、（ｂ）はフレームの構成を示す図である。
【図４】本発明の情報媒体の他の実施の形態を示す図であり、（ａ）は情報表示面側から見た図、（ｂ）はフレームの構成を示す図である。
【図５】本発明の情報媒体の他の実施の形態を示す図であり、（ａ）は情報表示面側から見た図、（ｂ）はフレームの構成を示す図である。
【図６】本発明の情報媒体の他の実施の形態を示す図であり、（ａ）は情報表示面側から見た図、（ｂ）はフレームの構成を示す図である。
【図７】本発明の情報媒体の他の実施の形態を示す図であり、（ａ）は情報表示面側から見た図、（ｂ）は（ａ）に示したＡ−Ａ’断面図、（ｃ）はフレームの構成を示す図、（ｄ）はインレットの外形を示す図である。
【図８】情報媒体の一例を示す図であり、（ａ）は情報表示面側から見た図、（ｂ）は（ａ）に示したＡ−Ａ’断面図である。
【図９】図８に示した情報媒体の製造方法を説明するための図である。
【発明を実施するための形態】
【００２２】
以下に、本発明の実施の形態について図面を参照して説明する。
【００２３】
図１は、本発明の情報媒体の実施の一形態を示す図であり、（ａ）は情報表示面側から見た図、（ｂ）は（ａ）に示したＡ−Ａ’断面図、（ｃ）はフレーム２０の構成を示す図、（ｄ）はインレット３０の外形を示す図である。
【００２４】
本形態は図１に示すように、平滑基材となるフィルム１０上にフレーム２０が配置されてなる筐体にインレット３０が収容された情報媒体１である。
【００２５】
フィルム１０は、透明な材料からなり、長方形の形状を有している。また、フィルム１０は、透明な材料からなり、一方の面側から他方の面側が視認可能なものである。なお、平滑基材としてはフィルムに限らず、情報媒体の用途によってガラス等を用いることもできる。
【００２６】
フレーム２０は、その外形がフィルム１０と同一であり、その内側にインレット３０の外形と略同一の形状を有する貫通孔を有している。この貫通孔の一側面には、その側面の他の領域よりも窪んだ凹部２１が設けられており、それにより、フレーム２０の内側の形状は、インレット３０の外形と同一の形状に凹部２１が設けられた「凸」形状のものとなっている。フレーム２０は、フィルム１０の一方の面上に配置され、接着手段となる硬化剤４０によってフィルム１０に接着されている。なお、略同一とは、後述するようにフレーム２０に囲まれた領域にインレット３０が収容された状態において、凹部２１以外の領域がフレーム２０に接する程度のものを言う。
【００２７】
インレット３０は、電圧を印加することによってその表示色が変化する情報表示層（不図示）と、この情報表示層に電圧を印加する制御回路部（不図示）とを含み、情報表示層による情報表示面がフィルム１０に対向する向きで、フレーム２０に囲まれた領域に収容されており、凹部２１以外の領域にてフレーム２０と当接し、硬化剤４０によってフィルム１０に接着されている。
【００２８】
硬化剤４０は、フレーム２０及びインレット３０とフィルム１０との間に介在するとともに、凹部２１内にも入り込んでいる。
【００２９】
以下に、上記のように構成された情報媒体１の製造方法について説明する。
【００３０】
図２は、図１に示した情報媒体１の製造方法を説明するための図である。
【００３１】
図１に示した情報媒体１を製造する場合は、フィルム１０及びフレーム２０として、まず、図１に示したものよりもその外形が大きなものを用い、インレット３０をフィルム１０に接着した後に、図１に示した形状に断裁することになる。
【００３２】
まず、フィルム１０の一方の面上にフレーム２０を配置するとともに、フレーム２０に囲まれた領域に、溶融状態の硬化剤３０を塗布する（図２（ａ））。
【００３３】
次に、インレット３０を、その情報表示面がフィルム１０に対向するようにフレーム２０内に嵌め込み、フィルム１０に対して加圧していく（図２（ｂ））。この際、フレーム２０の内側の形状が、凹部２１を除いてインレット３０の外形と略同一であることから、インレット３０の位置合わせを容易に行うことができる。
【００３４】
すると、硬化剤４０が溶融状態であることから、硬化剤４０がインレット３０に押圧されることによりフィルム１０とインレット３０との間にて延展し、インレット３０がフレーム２０に囲まれた領域に入り込んでいく。このように、溶融状態の硬化剤４０が塗布されたフィルム１０に対してインレット３０を加圧していくことによってフィルム１０とインレット３０とを接着する方法は、インレット３０とフィルム１０との間に気泡等を生じさせず、それにより、フィルム１０を介しての情報の視認性低下を回避するために有効なものである。
【００３５】
インレット３０がフレーム２０に囲まれた領域に入り込んでいくと、溶融状態の硬化剤４０はインレット３０の中央部分から周囲へと延展していき、インレット３０がその全面にて硬化剤４０によってフィルム１０と接着されるとともに、フィルム１０とフレーム２０との間に硬化剤４０が入り込んでフィルム１０とフレーム２０とが硬化剤４０によって接着されることになる。
【００３６】
この際、インレット３０をその全面にてフィルム１０と確実に接着するためには、インレット３０とフィルム１０とフレーム２０とで囲まれた領域の容積が、フィルム１０上に塗布された硬化剤４０の体積と同等またはそれ以下となるようにインレット３０を加圧する必要がある。
【００３７】
そして、そのようにインレット３０を加圧すると、フレーム２０の内側の形状がインレット３０の外形と略同一となっているものの、フレーム２０の内側の面に凹部２１が設けられているため、インレット３０の中央部分から周囲へと延展して余剰した硬化剤４０がこの凹部２１に入り込み、さらに、余剰した硬化剤４０の体積が凹部２１の容積よりも大きな場合は、硬化剤４０が凹部２１からインレット３０の反対側の面に回り込む。それにより、インレット３０の周囲にて硬化剤４０が盛り上がることなく、硬化剤４０の厚さがインレット３０の全面にて均一となった状態で、フィルム１０とインレット３０とが確実に接着される（図２（ｃ））。
【００３８】
その後、フィルム１０及びフレーム２０を、情報媒体１の外形に合わせて図中Ａ点にて断裁し、硬化剤４０が硬化することにより図１に示した情報媒体１が完成することになる（図２（ｄ））。
【００３９】
このように本形態においては、内側の形状がインレット３０の外形と略同一のフレーム２０に囲まれた領域にインレット３０が収容され、フィルム１０上に塗布された溶融状態の硬化剤４０によってインレット３０がフィルム１０に接着される構成において、フレーム２０の内側の面に、インレット３０に当接しない凹部２１が設けられているため、インレット３０がフレーム２０に囲まれた領域に収容されてフィルム１０に対して加圧された際に、インレット３０の中央部分から周囲へと延展していきフレーム２０の内側近傍にて余剰した硬化剤４０が、その凹部２１に入り込むことになり、それにより、インレット３０をフィルム１０に接着するための硬化剤４０の厚さをインレット３０の全面にて均一にしながらもフィルム１０とインレット３０とを確実に接着することができる。
【００４０】
また、上記のようにして製造された情報媒体１においては、インレット３０にて表示された情報が、フィルム１０及び硬化剤４０を介して視認されることとなるが、硬化剤４０の厚さがインレット３０の全面にて均一になることにより、表示色が変化する等といった問題が生じることがない。また、硬化剤４０の厚さをインレット３０の全面にて均一にするための構成を、フレーム２０の内側の面に設けた凹部２１によるものとすることにより、情報を表示可能な面積を狭くすることや表示領域の意匠性を損なわせることがない。
【００４１】
（他の実施の形態）
図３は、本発明の情報媒体の他の実施の形態を示す図であり、（ａ）は情報表示面側から見た図、（ｂ）はフレーム１２０の構成を示す図である。
【００４２】
本形態は図３に示すように、図１に示したものに対して、フレーム１２０の内側の互いに隣接する２つの側面のそれぞれに、その側面の他の領域よりも窪んだ凹部１２１ａ，１２１ｂが設けられている点が異なるものである。
【００４３】
上記のように構成された情報媒体１０１においても、インレット１３０がフレーム１２０に囲まれた領域に収容されてフィルム（不図示）に対して加圧された際に、フィルムの中央部分から周囲へと延展していきフレーム１２０の内側近傍にて余剰した硬化剤１４０が、凹部１２１ａ，１２１ｂにそれぞれ入り込むことになり、それにより、インレット１３０をフィルムに接着するための硬化剤１４０の厚さをインレット１３０の全面にて均一にしながらもフィルムとインレット１３０とを確実に接着することができる。
【００４４】
図４は、本発明の情報媒体の他の実施の形態を示す図であり、（ａ）は情報表示面側から見た図、（ｂ）はフレーム２２０の構成を示す図である。
【００４５】
本形態は図４に示すように、図１に示したものに対して、フレーム２２０の内側の１つの角部に、その角部から外側に向かって窪んだ凹部２２１が設けられている点が異なるものである。
【００４６】
上記のように構成された情報媒体２０１においても、インレット２３０がフレーム２２０に囲まれた領域に収容されてフィルム（不図示）に対して加圧された際に、インレットの中央部分から周囲へと延展していきフレーム２２０の内側近傍にて余剰した硬化剤２４０が、凹部２２１に入り込むことになり、それにより、インレット２３０をフィルムに接着するための硬化剤２４０の厚さをインレット２３０の全面にて均一にしながらもフィルムとインレット２３０とを確実に接着することができる。
【００４７】
図５は、本発明の情報媒体の他の実施の形態を示す図であり、（ａ）は情報表示面側から見た図、（ｂ）はフレーム３２０の構成を示す図である。
【００４８】
本形態は図５に示すように、図１に示したものに対して、インレット３３０の外形が正五角形である場合に、フレーム３２０の内側の形状も正五角形となり、正五角形の１つ側面に、その側面の他の領域よりも窪んだ凹部３２１が設けられている点が異なるものである。
【００４９】
上記のように構成された情報媒体３０１においても、インレット３３０がフレーム３２０に囲まれた領域に収容されてフィルム（不図示）に対して加圧された際に、インレットの中央部分から周囲へと延展していきフレーム３２０の内側近傍にて余剰した硬化剤３４０が、凹部３２１に入り込むことになり、それにより、インレット３３０をフィルムに接着するための硬化剤３４０の厚さをインレット３３０の全面にて均一にしながらもフィルムとインレット３３０とを確実に接着することができる。
【００５０】
図６は、本発明の情報媒体の他の実施の形態を示す図であり、（ａ）は情報表示面側から見た図、（ｂ）はフレーム４２０の構成を示す図である。
【００５１】
本形態は図６に示すように、図１に示したものに対して、インレット４３０の外形が楕円形である場合に、フレーム４２０の内側の形状も楕円形となり、楕円形の側面に他の領域よりも窪んだ凹部４２１が設けられている点が異なるものである。
【００５２】
上記のように構成された情報媒体４０１においても、インレット４３０がフレーム４２０に囲まれた領域に収容されてフィルム（不図示）に対して加圧された際に、インレットの中央部分から周囲へと延展していきフレーム４２０の内側近傍にて余剰した硬化剤４４０が、凹部４２１に入り込むことになり、それにより、インレット４３０をフィルムに接着するための硬化剤４４０の厚さをインレット４３０の全面にて均一にしながらもフィルムとインレット４３０とを確実に接着することができる。
【００５３】
図７は、本発明の情報媒体の他の実施の形態を示す図であり、（ａ）は情報表示面側から見た図、（ｂ）は（ａ）に示したＡ−Ａ’断面図、（ｃ）はフレーム５２０の構成を示す図、（ｄ）はインレット５３０の外形を示す図である。
【００５４】
本形態は図７に示すように、図１に示したものに対して、平面部５１０とフレーム部５２０とが一体化して筐体５０２を構成している点が異なるものであり、少なくとも、平面部５１０は、インレット５３０を視認可能とするために透明となっている。
【００５５】
上記のように構成された情報媒体５０１においては、平面部５１０とフレーム部５２０とが一体化しているため、インレット５３０がフレーム部５２０に囲まれた領域に収容されて平面部５１０に対して加圧された際に、平面部５１０とフレーム部５２０との間には硬化剤５４０は入り込まないものの、上記同様に、インレット５３０の中央部分から周囲へと延展していきフレーム部５２０の内側近傍にて余剰した硬化剤５４０が、凹部５２１に入り込むことになり、それにより、インレット５３０を筐体５０２に接着するための硬化剤５４０の厚さをインレット５３０の全面にて均一にしながらも筐体５０２とインレット５３０とを確実に接着することができる。
【００５６】
なお、上述した実施の形態においては、インレットとして情報表示機能を有するものを例に挙げて説明したが、本発明のインレットはこれに限らず、ベース基材上にアンテナが形成されるとともに、このアンテナを介して非接触通信を行うＩＣチップが搭載されたＲＦＩＤ機能を有するもの等、様々なものを適用することができる。
【００５７】
また、本発明の接着手段としては、上述した硬化剤のように、溶融状態で塗布され、その後、加圧されることによって延展していくものであればよい。
【符号の説明】
【００５８】
１，１０１，２０１，３０１，４０１，５０１    情報媒体
１０，１１０，２１０，３１０，４１０    フィルム
２０，１２０，２２０，３２０，４２０    フレーム
２１，１２１ａ，１２１ｂ，２２１，３２１，４２１，５２１    凹部
３０，１３０，２３０，３３０，４３０，５３０    インレット
４０，１４０，２４０，３４０，４４０，５４０    硬化剤
５０２    筐体
５１０    平面部
５２０    フレーム部
【図１】
2015175867.tif 000003
【図２】
2015175867.tif 000004
【図３】
2015175867.tif 000005
【図４】
2015175867.tif 000006
【図５】
2015175867.tif 000007
【図６】
2015175867.tif 000008
【図７】
2015175867.tif 000009
【図８】
2015175867.tif 000010
【図９】
2015175867.tif 000011